(57)【要約】【課題】厚さ１ミリ〜５ミリ前後で、軽量で透明な、あらゆる印刷された文字やコンピューター等による画像物処理を代行し統一する、各個サーバー親機としての本体と携帯・設置・移動可能な送受信タッチパネル装置からなる、地球環境を良くするだけでなく人類の生活により役立つ、一枚の硝子にしか見えない極薄のデジタルデータ送受信機を提供する。【解決手段】本発明は以上のような構造である厚さ１ミリ〜５ミリ前後で、軽量で透明な、あらゆる印刷された文字やコンピューター等による画像物処理を代行し統一する、各個サーバー親機としての本体と携帯・設置・移動可能な送受信タッチパネル装置からなる、地球環境を良くするだけでなく人類の生活により役立つ、一枚の硝子にしか見えない極薄のデジタルデータ送受信機器を特徴とする。【選択図】図１
2012053860.tif 000002
【特許請求の範囲】
【請求項１】
厚さ１ミリ〜５ミリ前後で、軽量で透明な、あらゆる印刷された文字やコンピューター等による画像物処理を代行し統一する、各個サーバー親機としての本体と携帯・設置・移動可能な送受信タッチパネル装置からなる、地球環境を良くするだけでなく人類の生活により役立つ、一枚の硝子にしか見えない極薄のデジタルデータ送受信機。
【発明の詳細な説明】
【技術分野】
【０００１】本発明は、厚さ１ミリ〜５ミリ前後で、軽量で透明な、あらゆる印刷された文字やコンピューター等による画像物処理を代行し統一する、各個サーバー親機としての本体と携帯・移動型送受信パネル装置からなる、地球環境を良くするだけでなく人類の生活により役立つ、一枚の硝子にしか見えない極薄のデジタルデータ送受信機に関する。
【背景技術】
【先行技術文献】
【０００２】従来品におけるコンピューター機には、携帯電話やデスクトップ・ノートパソコン等があった。厚みや色があった為に、機体以上のサイズを有した収納場所確保の必要性があった。また、名刺や書物等の印刷物はそれぞれが有形であり、薄い紙類であっても本等の書物化後には厚みが生じた。有形資源を必要随時に個別生産・消費・消耗しなければいけなかった。また看板やメニュー等のサイン類は表記を変更する場合は個別に作り替える事が必要であった。その為、地球環境を代償とした資源浪費や二酸化炭素等の無制限排出等が発生した。物品内容の変化に対応する為には必ず地球資源を新たにつぎ込まなければならなかった。（例えば特許文献１）
【特許文献１】特許公開２００９−１４１６０２
【特許文献２】
【発明の概要】
【発明が解決しようとする課題】
【０００３】従来品におけるコンピューター機器や有形印刷物では、それぞれの限りある資源を必要随時に絶えず、個別に生産・消費・消耗しなければいけないという点でも不利がある。
【課題を解決するための手段】
【０００４】本発明は一つのスクリーン上でコンピューター機器や有形印刷物を、その時代最新機能までを有するコンピューターや印刷物と同じ働きを代行しシステムと技術を統一する事で上記課題を解決する。
【発明の効果】
【０００５】本発明は、透明で薄い素材を最大限に活用するため、軽量で便利性・携帯性と量産性の機能を有している。世界的に普及している機能を継承した性能はサーバーである親機から発せられ、薄く生産するコンピューター機技術や太陽エネルギー蓄電池、液晶等を内部伝達システムへ応用する事で、あらゆるコンピューター機器や有形印刷物を、その時代最新機能までを有するコンピューターや印刷物と同じ働きを統一する機器  として利用するのに極めて有効である。
【発明を実施するための形態】
【０００６】本発明は厚さ１ミリ〜５ミリ前後で、軽量で透明な、あらゆる印刷された文字やコンピューター等による画像物処理を統一代行する、各個サーバー親機としての本体と携帯・移動型送受信パネル装置からなる、地球環境を良くするだけでなく人類の生活により役立つ、一枚の硝子にしか見えない極薄のデジタルデータ送受信機として作動する。本発明は以上のような構造である。
【実施例】
【０００７】硝子または硬質や軟質塩ビ製合成樹脂材等を表面タッチパネルの周囲にて電源確保の為のソーラー電池等を内蔵設置し、送受信の開始は周囲の任意に設定した方法で接触することにより操作が可能になる技術を組み合わる事で地球環境を良くするだけでなく人類の生活により役立つ、一枚の硝子にしか見えない極薄のデジタルデータ送受信機を形成する。【０００８】各個人または家族または法人により専用サーバー一台を親機として任意の場所へ設置しておく。子機としての一枚の硝子にしか見えない極薄のデジタルデータ送受信機は、親機へ登録する数だけ無制限に設定できる。【０００９】これまでの地球資源浪費物品は地球環境を良くするだけでなく人類の生活により役立つ、一枚の硝子にしか見えない極薄のデジタルデータ送受信機へ役割を移行できる。これまでの地球資源浪費物品は以下のものがあり、一枚の硝子にしか見えない極薄のデジタルデータ送受信機へ役割を移行した場合の役割の一部である。
・デスクトップＰＣ機器（机でも壁でも好きな場所へ好きな位置で取付ける事ができる。子機には部品接合部が密着しているので防水性も高く、お茶等の水分がかかっても、これまでのような故障の要因とはならない。）
・ノートパソコン機器（持ち運びが下敷きを持ち運ぶ要領と同じになるため、鞄へも収納し易く、外出時のコーヒーショップ等でも扱い易い重さと形状と大きさである。）
・ＩＰＡＤ機器（厚みが紙に近くなる為、鞄へも収納しやすく、これまで以上に携帯性が向上する。）
・スマートフォン機器（胸ポケットやサイフ、もしくはカード入れへ収納する事ができる薄さと大きさなので、これまで以上に携帯性が向上する。）
・Ｉフォン機器（胸ポケットやサイフ、もしくはカード入れへ収納する事ができる薄さと大きさなので、これまで以上に携帯性が向上する。）
・携帯電話機器（胸ポケットやサイフ、もしくはカード入れへ収納する事ができる薄さと大きさなので、これまで以上に携帯性が向上する。）
・新聞（新聞と同じ大きさの新聞送受信専用子機を家庭やテナント等に常備するだけで、新聞を読むのと同じ動作で日々更新される新聞内容を読める。）
・名刺（名刺と同じ大きさの名刺送受信専用子機を持ち歩くだけで、名刺交換時にはデータのやりとりを、そしてデータ交換後はいつでも好きなタイミングで閲覧でき、それらは親機に保管される。）
・本（本と同等の大きさの送受信専用子機を持ち歩くだけで、何ページもの本を何冊も持ち歩く煩わしさが省ける。データ交換後はいつでも好きなタイミングで閲覧でき、それらは親機に保管される。）
・書類（Ｂ５からＡ３程度の書類と同等の大きさの送受信子機を持ち歩くだけで、何枚もの書類を持ち歩く煩わしさが省ける。データ交換後はいつでも好きなタイミングで閲覧でき、それらは親機に保管される。）
・メモ用紙（個々好きなサイズのメモ用紙と同等の大きさの送受信子機を持ち歩くだけで、何枚ものメモ用紙を持ち歩く煩わしさが省ける。データ交換後はいつでも好きなタイミングで閲覧でき、それらは親機に保管される。）
・カメラ機器（任意サイズの子機でカメラ撮影が出来るので、重量軽減及び収納スペースを気にする煩わしさが省ける。データ更新後はいつでも好きなタイミングで閲覧でき、それらは親機に保管される。）
・ビデオカメラ機器（持ち歩く好きなサイズの子機でカメラ撮影が出来るので、重量軽減及び収納スペースを気にする煩わしさが省ける。データ更新後はいつでも好きなタイミングで閲覧でき、それらは親機に保管される。）
・ビデオデッキ機器（持ち歩く好きなサイズの子機でカメラ撮影が出来るので、重量軽減及び収納スペースを気にする煩わしさが省ける。データ更新後はいつでも好きなタイミングで閲覧でき、それらは親機に保管される。）
・アルバム冊子（個々好きなサイズのアルバムと同等の大きさの送受信子機により何枚もの写真を収納した何冊ものアルバムを収納するスペースを確保する煩わしさ及び見たいアルバムと写真と時間をかけて探す手間が省ける。データ更新後はいつでも好きなタイミングで閲覧でき、それらは親機に保管される。）
・データ出力アルバム機器（個々好きなサイズのデータ内蔵アルバム機器と同等の大きさの送受信子機により、既存の厚みのある機器を設置するスペースを確保する煩わしさ及びデータ要領をきにする煩わしさが省かれる。データ更新後はいつでも好きなタイミングで閲覧でき、それらは親機に保管される。）
・スキャナー機器（既存のスキャナー機と同等サイズの送受信子機によりスキャンニングが出来ることにより、重量軽減及び設置スペースを気にする煩わしさが省ける。データスキャンデータは親機に保管される。）
・コピー機器（既存のコピー機と同等サイズの送受信子機によりコピーができる事により、重量及び設置スペースを気にする煩わしさが省ける。コピーデータは親機に保管される。）
・録音機器（好きなサイズの送受信子機を利用して録音が出来る事により重量軽減及び保管スペースを確保する煩わしさが省ける。録音データは親機に保管される。）
・録画機器（好きなサイズの送受信子機を利用して録画が出来る事により重量軽減及び保管や設置スペースを確保する煩わしさが省ける。録画データは親機に保管される。）
・テレビ機器（好きなサイズの送受信子機を利用してテレビ視聴が出来る事により重量軽減及び保管・設置スペースを確保する煩わしさが省ける。テレビ番組データ送受信は親機で一括管理できる。）
・ラジオ機器（好きなサイズの送受信子機を利用してラジオが聴ける事により重量軽減及び保管・設置スペースを確保する煩わしさが省ける。ラジオ番組データ送受信は親機で一括管理できる。）
・製図盤（好きなサイズの送受信子機を利用して、手書きと同じ要領で製図が出来る。作図後は親機に保管できる。）
・ＣＡＤ他３Ｄ作成機器（各自好きなサイズの送受信子機を利用することにより、重量軽減及び保管スペースを確保する煩わしさが省ける。作図データは親機に保管出きる。）
・図面（各自好きなサイズの送受信子機を利用することにより、重量軽減及び保管スペースを確保する煩わしさが省け、持ち運びも楽になる。図面データは親機に保管され、好きなタイミングで図面を検出できる。）
・インターネット（各自好きなサイズの送受信子機を利用することにより、重量軽減及び保管スペースを確保する煩わしさが省け、持ち運びも楽になる。検索データは親機に保管される。）
・メール（各自好きなサイズの送受信子機を利用することにより、重量軽減及び保管スペースを確保する煩わしさが省け、持ち運びも楽になる。検索データは親機に保管される。）
・ナビ（各自好きなサイズの送受信子機を利用することにより、重量及び保管スペースを確保する煩わしさが省け、持ち運びも楽になる。検索データは親機に保管される。車載用の場合には窓硝子へ貼り付け、逆さま反転方式で映像出力する場合等はフロントガラスへ反射させて映すことも出来やすくなる。）
・遊園地ナビ機器（各自好きなサイズの送受信子機を利用することにより、重量軽減を気にする煩わしさが省け、持ち運びも楽になる。遊園地検索データ等は親機に保管される。）。
・遊園地マップ（各自好きなサイズの送受信子機を利用することにより、重量軽減を気にする煩わしさが省け、持ち運びも楽になる。遊園地検索データ等は親機に保管される。）
・テーブルクロス（各自好きなサイズの送受信子機を利用することにより、食事中でもあらゆる楽しみ方や便利さを増やすことができる。データ等は親機に保管される。）
・メニュー（各自好きなサイズの送受信子機を利用することにより、何ページも何冊も事前作成しておく必要性がなく、メニュー変更時の金銭的な煩わしさを省ける。更新データ等は親機に保管される。）
・しおり（どうしても実物の本が良い・・・等の場合に使うシオリであって、各自好きなサイズの送受信子機を利用することにより、左右どちらのページの何行目なのか、何列目まで読んだのか・・・が即わかるようになる。データ更新は親機にて保管される。）
・うちわ（各自好きなサイズのうちわと同等サイズの送受信子機を利用することにより、あらゆるデータを読みながら・・・あらゆる広告を公開しながら・・・等の使い方ができる。データ更新は親機に保管される。）
・カード類（各自好きなサイズの送受信子機を利用することにより、何枚も携帯する煩わしさを省ける。更新データ等は親機に保管される。）
・プリペイド（各自好きなサイズの送受信子機を利用することにより、カードの場合に何枚も携帯する煩わしさを省ける。更新データ等は親機に保管される。）
・入出金用カード（各自好きなサイズの送受信子機を利用することにより、何枚も携帯する煩わしさを省ける。更新データ等は親機に保管される。）
・鍵（各自好きなサイズの送受信子機を利用することにより、電子錠としていくつも携帯する煩わしさを省ける。更新データ等は親機に保管される）
・壁紙（サイズの制限を取り払った送受信子機を利用することにより、壁面の柄や模様を、平面的または立体的に、好きな時に好きな様に変更できる。更新データ等は親機に保管される。）
・床材（サイズの制限を取り払った送受信子機を利用することにより、床の柄や模様を、平面的または立体的に、好きな時に好きな様に変更できる。更新データ等は親機に保管される。）
・天井材（サイズの制限を取り払った送受信子機を利用することにより、天井の柄や模様を、平面的または立体的に、好きな時に好きな様に変更できる。更新データ等は親機に保管される。）
・庭装飾（サイズの制限を取り払った送受信子機を利用することにより、庭の柄や模様を、平面的または立体的に、好きな時に好きな様に変更できる。更新データ等は親機に保管される。）
・装飾材（サイズの制限を取り払った送受信子機を利用することにより、装飾材の柄や模様を、平面的または立体的に、好きな時に好きな様に変更できる。更新データ等は親機に保管される。）
・モニター（好きなサイズの送受信子機を利用してモニター視聴が出来る事により重量軽減及び保管や設置スペースを確保する煩わしさが省ける。モニター入出力データの送受信や保管は親機で一括管理できる。）
・案内板（好きなサイズの送受信子機を利用して案内板視聴が出来る事により重量軽減及び保管や設置スペースを確保する煩わしさが省ける。また案内内容変更もデータ送受信により行う事ができるので、容易である。データの送受信や保管は親機で一括管理できる。）
・道路標識（任意サイズの送受信子機を利用して道路標識案内表示が出来る事により重量軽減及び保管や設置スペースを確保する煩わしさが省ける。また案内内容変更もデータ送受信により行う事ができるので、容易である。データの送受信や保管は親機で一括管理できる。）
・標識（任意サイズの送受信子機を利用して案内表示が出来る事により重量軽減及び保管や設置スペースを確保する煩わしさが省ける。また案内内容変更もデータ送受信により行う事ができるので、容易である。データの送受信や保管は親機で一括管理できる。）
・表示板（任意サイズの送受信子機を利用して表示板案内表示が出来る事により重量軽減及び保管や設置スペースを確保する煩わしさが省ける。また表示内容変更もデータ送受信により行う事ができるので、容易である。データの送受信や保管は親機で一括管理できる。）
・サイン全般（任意サイズの送受信子機を利用してサイン表示が出来る事により重量軽減及び保管や設置スペースを確保する煩わしさが省ける。またサイン表示内容変更もデータ送受信により行う事ができるので、容易である。データの送受信や保管は親機で一括管理できる。）
・看板（任意サイズの送受信子機を利用して看板表示が出来る事により重量軽減及び保管や設置スペースを確保する煩わしさが省ける。また看板内容変更もデータ送受信により行う事ができるので、容易である。データの送受信や保管は親機で一括管理できる。）
・御案内板（任意サイズの送受信子機を利用して御案内表示が出来る事により携帯や重量軽減及び保管や設置スペースを確保する煩わしさが省ける。また御案内内容変更もデータ送受信により行う事ができるので、容易である。データの送受信や保管は親機で一括管理できる。）
・地図（任意サイズの送受信子機を利用して地図表記が出来る事により携帯及び保管や設置スペースを確保する煩わしさが省ける。また地図内容変更もデータ送受信により行う事ができるので、容易である。データの送受信や保管は親機で一括管理できる。）
・カタログ（任意サイズの送受信子機を利用してカタログ表記が出来る事により重量軽減や携帯及び保管や設置スペースを確保する煩わしさが省ける。またカタログ内容変更もデータ送受信により行う事ができるので、容易である。データの送受信や保管は親機で一括管理できる。）
・園内マップ（任意サイズの送受信子機を利用して園内マップ表記が出来る事により重量軽減や携帯及び保管や設置スペースを確保する煩わしさが省ける。また園内マップ内容変更もデータ送受信により行う事ができるので、容易である。データの送受信や保管は親機で一括管理できる。）
・構内マップ（任意サイズの送受信子機を利用して構内マップ表記が出来る事により重量軽減や携帯及び保管や設置スペースを確保する煩わしさが省ける。また構内マップ内容変更もデータ送受信により行う事ができるので、容易である。データの送受信や保管は親機で一括管理できる。）
・敷地マップ（任意サイズの送受信子機を利用して敷地マップ表記が出来る事により重量軽減や携帯及び保管や設置スペースを確保する煩わしさが省ける。また敷地マップ内容変更もデータ送受信により行う事ができるので、容易である。データの送受信や保管は親機で一括管理できる。）
・眼鏡（好きなサイズの送受信子機をレンズ化した眼鏡であらゆる情報を取得し、レンズ面へ送受信する事ができる。取得した情報類のデータの送受信や保管は親機で一括管理できる。）
・照明機器（好きなサイズの送受信子機を照明器具として使うことにより、照明を必要としない場合はその他の用途で使う事が可能である。照度データの送受信及び保管は親機で一括管理できる。）
・懐中電灯（好きなサイズの送受信子機を懐中電灯として使うことにより、光を必要としない場合はその他の用途で使う事が可能である。照度データの送受信及び保管は親機で一括管理できる。）
・ゴーグル（好きなサイズの送受信子機をレンズ化したゴーグルであらゆる情報を取得し、レンズ面へ送受信する事ができる。取得した情報類のデータの送受信や保管は親機で一括管理できる。）
・水中眼鏡（好きなサイズの送受信子機をレンズ化した水中眼鏡であらゆる情報を取得し、レンズ面へ送受信する事ができる。取得した情報類のデータの送受信や保管は親機で一括管理できる。）
・入出金機器の一部（任意サイズの送受信子機を入出金機器の操作盤として利用することにより、入出金機器本体のサイズ縮小や重量軽減、及び生産性を向上させる事ができる。データの送受信や保管は親機で一括管理できる。）
・シュミレーション（好きなサイズの送受信子機を利用して、あらゆる場面でシュミレートする為の道具として容易に使用することができる。データの送受信や保管は親機で一括管理できる。）
・鏡（好きなサイズの送受信子機を鏡として使うことにより、鏡を必要としない場合はその他の用途で使う事が可能である。鏡データの送受信及び保管は親機で一括管理できる。鏡に映ったデータの保存は必要随時任意で都度の決定とする。）
・硝子（サイズの制限を取り払った送受信子機を硝子として使うことにより、硝子を必要としない場合はその他の用途で使う事が可能である。硝子データの送受信及び保管は親機で一括管理できる。硝子に映ったデータの保存は必要随時任意で都度の決定とする。）
・窓（サイズの制限を取り払った送受信子機を窓及び窓硝子として使うことにより、窓や窓硝子を必要としない場合、またはカーテンデータを窓及び窓硝子へ付す、またはその他の用途で使う事が可能である。窓や窓硝子データの送受信及び保管は親機で一括管理できる。窓硝子に映ったデータの保存は必要随時任意で都度の決定とする。）
・ドア（サイズの制限を取り払った送受信子機を利用することにより、ドアの柄や模様を、平面的または立体的に、好きな時に好きな様に変更できる。更新データ等は親機に保管される。）
・浴槽（サイズの制限を取り払った送受信子機を利用することにより、浴槽の柄や模様を、平面的または立体的に、好きな時に好きな様に変更できる。更新データ等は親機に保管される。）
・ノート（好きなサイズの送受信子機を利用することにより、親機のデータ保存容量を越えない限り記入し続けられその上、ノートの買い替えを考える煩わしさを省ける。更新データ等は親機に保管される。）
・教科書（教科書として適切なサイズの送受信子機を利用することにより、買い替える事の煩わしさを省ける。また常に最新の情報を掲載した教科書による学習が可能である。更新データ等は親機に保管される。）
・カレンダー（好きなサイズの送受信子機を利用する事により、毎日毎月毎年の買い替え行為を省け、資源の無駄遣いを阻止できる。更新データ等は親機に保管される。）
・テスト用紙（テスト用紙として任意適切なサイズの送受信子機を記入限定仕様として利用することにより、あらゆるテスト用紙の資源無駄遣いを阻止できる。更新データ等は親機に保管される。）
・履歴書（履歴書として任意適切なサイズの送受信子機を記入限定仕様として利用することにより、あらゆる履歴書用紙の資源無駄遣いを阻止できる。更新データ等は親機に保管される。）
・黒板（サイズの制限を取り払った送受信子機を黒板として使うことにより、黒板を必要としない場合、他の用途で使う事が可能である。黒板へ記入したデータの送受信及び保管は親機で一括管理でき、記入内容のデータの保存は必要随時任意で都度の決定とする。）
・ホワイトボード（サイズの制限を取り払った送受信子機をホワイトボードとして使うことにより、ホワイトボードを必要としない場合、他の用途で使う事が可能である。ホワイトボードへ記入したデータの送受信及び保管は親機で一括管理でき、記入内容のデータの保存は必要随時任意で都度の決定とする。）
・トランシーバー（好きなサイズの送受信子機を利用してトランシーバーを使う事により携帯や重量軽減及び保管・設置スペースを確保する煩わしさが省ける。送受信は親機で一括管理できる。）
・テレビ電話（好きなサイズの送受信子機を利用してテレビ電話を使う事により携帯や重量軽減及び保管・設置スペースを確保する煩わしさが省ける。送受信は親機で一括管理できる。）
・カロリー計算・表記（好きなサイズの送受信子機を利用してカロリー計算や表を行う事により携帯や重量軽減及び保管・設置スペースを確保する煩わしさが省ける。送受信は親機で一括管理できる。）
・診察券（各自好きなサイズの送受信子機を利用することにより、何枚も携帯する煩わしさを省ける。更新データ等は親機に保管される。）
・事前診察通信（任意サイズの送受信子機を利用して事前診察通信を行うには、携帯や重量軽減及び保管や設置スペースを確保する煩わしさが省けたものが望ましい。送受信したデータの送受信及び保管は親機で一括管理でき、内容のデータの保存は必要随時任意で都度の決定とする。）
・携帯テレビ（好きなサイズの送受信子機を利用して携帯テレビ視聴が出来る事により携帯重量軽減及び保管や設置スペースを確保する煩わしさが省ける。テレビ番組データ送受信は親機で一括管理できる。）
・携帯ラジオ（好きなサイズの送受信子機を利用して携帯ラジオが聴ける事により重量軽減及び保管・設置スペースを確保する煩わしさが省ける。携帯ラジオ番組データ送受信は親機で一括管理できる。）
・携帯インターネット（各自好きなサイズの送受信子機を利用することにより、重量軽減及び保管スペースを確保する煩わしさが省け、持ち運びも楽になる。検索データは親機に保管される。）
・ピクトサイン（任意サイズの送受信子機を利用してピクトサイン表示が出来る事により重量軽減及び保管や設置スペースを確保する煩わしさが省ける。またピクトサイン内容変更もデータ送受信により行う事ができるので、容易である。データの送受信や保管は親機で一括管理できる。）
・広告（任意サイズの送受信子機を利用して広告が出来る事により携帯や重量軽減及び保管や設置スペースを確保する煩わしさが省ける。また広告内容変更もデータ送受信により行う事ができるので、容易である。データの送受信や保管は親機で一括管理できる。）
・デスクマット（サイズの制限を取り払った送受信子機をデスクマットとして使うことにより、あらゆるデスクワーク物をマット化した送受信子機上で全て作業可能である。データの送受信及び保管は親機で一括管理できる。）
・食器（サイズや形状の制限を取り払った送受信子機を利用することにより、食器の柄や模様を、平面的または立体的に、好きな時に好きな様に変更できる。更新データ等は親機に保管される。但しいちど形作った形状の変更は難しい。）
・電工掲示板（サイズや形状の制限を取り払った送受信子機を利用して電工掲示板として利用が出来る事により設営や運搬、重量軽減及び保管や設置スペースを確保する煩わしさが省ける。また掲示内容変更もデータ送受信により行う事ができるので、容易である。データの送受信や保管は親機で一括管理できる。
・キッチンパネル（サイズの制限を取り払った送受信子機を利用することにより、キッチンパネルの柄や模様を、平面的または立体的に、好きな時に好きな様に変更できる。更新データ等は親機に保管される。）
・冷蔵庫（サイズや形状の制限を取り払った送受信子機を利用することにより、冷蔵庫内外部壁面の柄や模様を、平面的または立体的に、好きな時に好きな様に変更できる。更新データ等は親機に保管される。）
・ゲーム（電子）（好きなサイズの送受信子機を利用してゲーム操作が出来る事により携帯重量軽減及び保管や設置スペースを確保する煩わしさが省けるゲームデータ送受信や更新は親機で一括管理できる。）
・ゲーム（ボード）（好きなサイズの送受信子機を利用してゲーム操作が出来る事により携帯重量軽減及び保管や設置スペースを確保する煩わしさが省けるゲームデータ送受信や更新は親機で一括管理できる。）
・問診表（問診表として任意適切なサイズの送受信子機を記入限定仕様として利用することにより、あらゆる問診表用紙の資源無駄遣いを阻止できる。更新データ等は親機に保管される。）
・日記帳（日記として任意適切なサイズの送受信子機を記入限定仕様として利用することにより、あらゆる日記用紙の資源無駄遣いを阻止できる。更新データ等は親機に保管される。）
・香り伝達（データ化した香りを好きなサイズの送受信子機を利用して香る事が出来る事により、普段の生活にゆとりをもたらすことができる。データ送受信や更新は親機で一括管理できる。）
・自動販売機の一部（任意サイズの送受信子機を児童販売機の操作盤として利用することにより、自動販売機本体のサイズ縮小や重量軽減、及び生産性を向上させる事ができる。データの送受信や保管は親機で一括管理できる。）
・写真集（任意サイズの写真集として適切なサイズ送受信専用子機を利用することにより何ページもの写真集を印刷する事による資源の無駄遣いが省ける。新刊発売データ更新後はいつでも好きなタイミングで閲覧でき、それらは親機に保管される。）
・受付け（任意サイズの無人受付けカウンター機器の一部として送受信専用子機を利用することにより無人受付けカウンター機器本体のサイズ縮小や重量軽減及び生産性を向上させる事ができる。データの更新、送受信や保管は親機で一括管理できる。）
・日よけ（サイズの制限を取り払った送受信子機を日よけとして使うことにより、日よけを必要としない場合は硝子等その他の用途で使う事が可能である。日よけデータの送受信及び保管は親機で一括管理できる。）
・ドライブスルー機器（任意サイズのドライブスルー機器の一部として送受信専用子機を利用することにより機器本体のサイズ縮小や重量軽減及び生産性を向上させる事ができる。データの更新、送受信や保管は親機で一括管理できる。）
・注文機器（任意サイズの注文機器の一部として送受信専用子機を利用することにより機器本体のサイズ縮小や重量軽減及び生産性を向上させる事ができる。データの更新、送受信や保管は親機で一括管理できる。
・請求書（請求書として任意適切なサイズの送受信子機を記入限定仕様として利用することにより、あらゆる請求書用紙の資源無駄遣いを阻止できる。更新データ等は親機に保管される。）
・見積書（見積書々して任意適切なサイズの送受信子機を記入限定仕様として利用することにより、あらゆる見積書用紙の資源無駄遣いを阻止できる。更新データ等は親機に保管される。）
・領収書（領収書として任意適切なサイズの送受信子機を記入限定仕様として利用することにより、あらゆる領収書用紙の資源無駄遣いを阻止できる。更新データ等は親機に保管される。）
・決算書（決算書として任意適切なサイズの送受信子機を記入限定仕様として利用することにより、あらゆる決算書用紙の資源無駄遣いを阻止できる。更新データ等は親機に保管される。）
・書類（決算書として任意適切なサイズの送受信子機を記入限定仕様として利用することにより、あらゆる決算書用紙の資源無駄遣いを阻止できる。更新データ等は親機に保管される。）
・レジ機器の一部（任意サイズのレジ機器の一部として送受信専用子機を利用することにより機器本体のサイズ縮小や重量軽減及び生産性を向上させる事ができる。データの更新、送受信や保管は親機で一括管理できる。）
・伝票（伝票として任意適切なサイズの送受信子機を記入限定仕様として利用することにより、あらゆる伝票用紙の資源無駄遣いを阻止できる。更新データ等は親機に保管される。）
・サンプルケース（任意サイズのサンプルケースの一部として送受信専用子機を利用することにより機器本体のサイズ縮小や重量軽減及び生産性を向上させる事ができる。コルトンサインボックスとしての機能も持つ。データの更新、送受信や保管は親機で一括管理できる。）
・宇宙基地の一部（任意サイズの宇宙基地の一部として送受信専用子機を利用することによりあらゆる宇宙基地の製作物や装飾物、通信機器、重量軽減及び生産性を向上させる事ができる。またデータの更新や送受信や保管は親機で一括管理できる。）
・宇宙居住空間の一部（任意サイズの宇宙居住空間の一部として送受信専用子機を利用することによりあらゆる宇宙基地の製作物や装飾物、通信機器、重量軽減及び生産性を向上させる事ができる。データの更新、送受信や保管は親機で一括管理できる。）
・信号機器（任意サイズの信号機器として送受信専用子機を利用することによりあらゆる信号機器の管理、そして重量軽減及び生産性を向上させる事ができる。データの更新、送受信や保管は親機で一括管理できる。）
・サイレン機器（任意サイズのサイレン機器として送受信専用子機を利用することによりあらゆるサイレン機器の管理、そして重量軽減及び生産性を向上させる事ができる。データの更新、送受信や保管は親機で一括管理できる。）
・計器（任意サイズの計器機器として送受信専用子機を利用することによりあらゆるサイレン機器の管理、そして重量軽減及び生産性を向上させる事ができる。データの更新、送受信や保管は親機で一括管理できる。）
・映画館の一部（任意サイズの映画館の一部として送受信専用子機を利用することによりあらゆる上映物の管理、そしてスクリーンや映写機器重量軽減及び生産性、作業性を向上させる事ができる。データの更新、送受信や保管は親機で一括管理できる。）
・パンフレット（任意サイズの送受信子機を利用してカタログ表記が出来る事により重量軽減や携帯及び保管や設置スペースを確保する煩わしさが省ける。またカタログ内容変更もデータ送受信により行う事ができるので、容易である。データの送受信や保管は親機で一括管理できる。）
・医療機器の一部（任意サイズの医療機器の一部として送受信専用子機を利用することによりあらゆる医療機器や医療現場の管理、機器重量軽減及び生産性、作業性を向上させる事ができる。データの更新、送受信や保管は親機で一括管理できる。）
・ＣＤ・ＤＶＤ・メモリーカード等外部記憶媒体（任意サイズの外部記憶媒体として送受信子機を利用することにより、あらゆるデータの送受信や管理を向上させることができる。データの更新、送受信や保管は親機で一括管理できる。）
・基地の一部（任意サイズの宇宙基地の一部として送受信専用子機を利用することによりあらゆる宇宙基地の製作物や装飾物、通信機器、重量軽減及び生産性を向上させる事ができる。データの更新、送受信や保管は親機で一括管理できる。）
・時計または時計の一部（任意サイズの時計または時計の一部として送受信専用子機を利用することにより、重量軽減及び生産性を向上させる事ができる。データの更新、送受信や保管は親機で一括管理できる。）
・湿度計または湿度計の一部（任意サイズの時計または湿度計の一部として送受信専用子機を利用することにより、重量軽減及び生産性を向上させる事ができる。データの更新、送受信や保管は親機で一括管理できる。）
・腕時計または腕時計の一部（任意サイズの腕時計または腕時計の一部として送受信専用子機を利用することにより、重量軽減及び生産性を向上させる事ができる。データの更新、送受信や保管は親機で一括管理できる。）
・監視カメラ（任意サイズの送受信子機でカメラ撮影が出来るので、重量軽減及び設営スペースを気にする煩わしさが省ける。データ更新後はいつでも好きなタイミングで閲覧でき、それらは親機に保管される。）
・監視モニター（任意サイズの送受信子機でモニターリングが出来るので、重量軽減及び設営スペースを気にする煩わしさが省ける。データ更新後はいつでも好きなタイミングで閲覧でき、それらは親機に保管される。）
・名札（任意サイズの送受信子機を利用することにより、何枚も生産する資源の無駄遣いを省ける。更新データ等は親機に保管される。）
・センサー（任意サイズの送受信子機でセンサー利用が出来るので、重量軽減及び設営場所を気にする煩わしさが省ける。データ更新等は親機に保管される。）
・会社案内冊子（会社案内冊子を任意サイズの送受信子機利用が出来る事により重量軽減や携帯及び保管や設置スペースを確保する煩わしさが省ける。資源の無駄遣いも省ける。案内内容変更もデータ送受信により行う事ができるので、容易である。データの送受信や保管は親機で一括管理できる。）【００１０】以上、本発明の実施の形態及び実施例を説明したが、本発明の範囲はこれに限定されるものではない。例えば親機３及び４と子機１と２の組み合わせ設置位置や持ち手形状、あるいは全体寸法、Ｒ形状や直線設定値、大きさや数、設置位置、触感は、状況に応じて適宜選択されるものである。また外観を動植物や果物及び独自の占有キャラクターを模した造形であることも状況に応じて適宜選択されるものである。【００１１】また、これまでの既存の役に立つ技術を活かし、音、音楽、または特定の決められた音源を本体が感知する事によりバイブ連動するアプリケーション設定を付しても良い。【００１２】さらに、発明を実施する為の最良の形態と実施例では硝子または硬質や軟質塩ビ製合成樹脂材について説明しているが、硝子または硬質や軟質塩ビ製合成樹脂材に限られたものではなく、その他例えばアルミ材、その他樹脂材、スチール・ステンレススチール材等、適当な任意の材料の物が利用でき、形状、大きさも任意に選定する事が出来る。また用途も環境と生活という一面に限らず、博物館、動物園、植物園、等の芸術面で利用しても良い。
【産業上の利用可能性】
【００１３】本発明は、あらゆる産業で活用される。
【図面の簡単な説明】
【００１２】
【図１】本発明を実施するための最良の第一の立体図である。
【符号の説明】〔受託番号〕
（１）  子機の透明タッチパネル部及び本体
（２）  子機のタッチ操作部及びソーラー等蓄電池部
（３）  親機本体及びタッチパネル部
（４）  親機本体の機械を保護するカバー部
【図１】
2012053860.tif 000003